(57)【特許請求の範囲】
【請求項１】
起倒可能な歯科治療椅子と、該歯科治療椅子のまわりに回動可能に立設されたベースマウントタイプのワークテーブルとからなる歯科治療ユニットにおいて、
前記歯科治療椅子のバックレストに患者の背が前記バックレストから離れているか否かを検出するセンサを有し、
該センサによって患者の背が前記バックレストから離れていることを検出した際に、前記歯科治療椅子が起状態になるとともに、前記ワークテーブルが回動して該起状態になった歯科治療椅子の後側の位置に移動し、
前記センサによって患者の背が前記バックレストから離れていないことを検出した際に、前記ワークテーブルが回動して前記歯科治療椅子の側方の位置に移動し、前記歯科治療椅子が倒状態に移動可能となるようにしたことを特徴とする歯科治療ユニット。
【請求項２】
前記歯科治療椅子のコンターシートに患者が前記コンターシートに着座している状態か否かを検出する他のセンサをさらに有し、
前記センサによって患者の背が前記バックレストから離れていることを検出し、かつ、前記他のセンサによって患者がコンターシートに着座していないことを検出した際に、前記歯科治療椅子が起状態になるとともに、前記ワークテーブルが回動して該起状態になった歯科治療椅子の後側の位置に移動し、
前記センサによって患者の背が前記バックレストから離れていないことを検出し、かつ、前記他のセンサによって患者がコンターシートに着座していることを検出した際に、前記ワークテーブルが回動して前記歯科治療椅子の側方の位置に移動し、前記歯科治療椅子が倒状態に移動可能となるようにしたことを特徴とする請求項１に記載の歯科治療ユニット。
【発明の詳細な説明】
【技術分野】
【０００１】
本発明は、歯科治療ユニット、より詳細には、起倒可能な歯科治療椅子と、該歯科治療椅子のまわりに回動可能に立設されたベースマウントタイプのワークテーブルとからなる歯科治療ユニットにおいて、前記歯科治療椅子のバックレストにセンサを有し、該歯科治療椅子から患者が降りる時に、前記センサが作動して、前記歯科治療椅子が起状態になるとともに、前記ワークテーブルが回動して該起状態になった歯科治療椅子の後側の位置に移動し、該起状態の歯科治療椅子に患者が着座した時に、前記ワークテーブルが回動して前記歯科治療椅子の側方の位置に移動し、前記歯科治療椅子が倒状態に移動可能となるようにしたものである。
【背景技術】
【０００２】
図２は、本発明が適用される歯科治療ユニットの一例を説明するための要部構成図で、図中、１０は起状態にある歯科治療椅子、２０はワークテーブルで、歯科治療椅子１０は、周知のように、ヘッドレスト１１、バックレスト１２、コンターシート１３、レッグレスト１４、フットレスト１５とからなる治療椅子本体部と、治療椅子本体部（具体的には、コンターシート１３）を支持する基台１６、該基台が載置されるベース板１７とからなる。また、ワークテーブル２０は、インスツルメントホルダ２１を一体的に有し、該インスツルメントホルダ２１には、歯科治療において使用する種々のハンドピース、例えば、エアータービン、マイクロエンジン、超音波スケーラ、マルチシリンジ等が搭載されている。ワークテーブル２０は、支柱２３によって、歯科治療椅子のベース板１７に立設され、軸２４を中心に矢印方向に回動自在になっている。
【０００３】
歯科治療に当り、術者は、患者が治療椅子１０に腰掛けた後、ヘッドレスト１１を上下動させてヘッドレスト１１を患者の頭部にフィットさせ、次いで、治療椅子本体部を上下動して、或いは、治療椅子を倒状態にし、或いは、倒状態にした治療椅子本体部を傾動（チルド）等させて、患者を診療しやすい状態にして、また、ワークテーブル２０を診療状態に適合した所望の位置にして、つまり、インスツルメントホルダ２１からインスツルメント２２を取り出し易い（作業しやすい）位置に調整して診療を行う。
このような、歯科治療ユニットは、例えば、特許文献１（特開２００１−２３８９２５号公報）に開示されている。
【発明の概要】
【発明が解決しようとする課題】
【０００４】
上述のごとき歯科治療ユニットにおいては、治療椅子を倒状態（患者を寝状態）にして診療をしようとした場合、治療椅子の後側（背部）にワークテーブル２０があると、治療椅子が倒れてきた時に、治療椅子のヘッドレスト１１が該ワークテーブル２０に当ってしまい、危険であった。そのため、ワークテーブルが治療椅子の後（背）部にくることがないようにしているが、非診療時、このワークテーブルが術者やアシスタントの交通を妨げ、他の作業をする際の邪魔になる等の問題があった。
【０００５】
本発明は、上述のごとき実情に鑑みてなされたもので、非診療時、つまり、患者が治療椅子から降りた時に、自動的に治療椅子を起状態にするとともに、起状態になった治療椅子の後（背）側の空いた空間に、ワークテーブルを自動的に移動するようにし、もって、非診療時におけるワークテーブルが診療以外の他の作業をする時の邪魔にならないようにし、同時に、患者が治療椅子に着座した時に、ワークテーブルが治療椅子の後（背）部から自動的に移動して該治療椅子の側部にくるようにし、もって、治療椅子を倒（寝）状態にしても、該治療椅子がワークテーブルに当らないようにすることを目的としてなされたものである。
【課題を解決するための手段】
【０００６】
上記課題を解決するために、請求項１の発明は、起倒可能な歯科治療椅子と、該歯科治療椅子のまわりに回動可能に立設されたベースマウントタイプのワークテーブルとからなる歯科治療ユニットにおいて、前記歯科治療椅子のバックレストに患者の背が前記バックレストから離れているか否かを検出するセンサを有し、該センサによって患者の背が前記バックレストから離れていることを検出した際に、前記歯科治療椅子が起状態になるとともに、前記ワークテーブルが回動して該起状態になった歯科治療椅子の後側の位置に移動し、前記センサによって患者の背が前記バックレストから離れていないことを検出した際に、前記ワークテーブルが回動して前記歯科治療椅子の側方の位置に移動し、前記歯科治療椅子が倒状態に移動可能となるようにしたことを特徴としたものである。
【０００７】
請求項２の発明は、請求項１の発明において、前記歯科治療椅子のコンターシートに患者が前記コンターシートに着座している状態か否かを検出する他のセンサをさらに有し、前記センサによって患者の背が前記バックレストから離れていることを検出し、かつ、前記他のセンサによって患者がコンターシートに着座していないことを検出した際に、前記歯科治療椅子が起状態になるとともに、前記ワークテーブルが回動して該起状態になった歯科治療椅子の後側の位置に移動し、前記センサによって患者の背が前記バックレストから離れていないことを検出し、かつ、前記他のセンサによって患者がコンターシートに着座していることを検出した際に、前記ワークテーブルが回動して前記歯科治療椅子の側方の位置に移動し、前記歯科治療椅子が倒状態に移動可能となるようにしたことを特徴としたものである。
【発明の効果】
【０００８】
本発明によると、歯科治療椅子を起状態にして、患者が該歯科治療椅子から降りると、該起状態になって歯科治療椅子の後（背）側にワークテーブルが自動的に移動されるので、非診療中、該ワークテーブルが術者やアシスタント等の交通の邪魔になるようなことはなく、術者やアシスタントは治療以外の他の作業がしやすくなる。また、診療に先立って、患者が治療椅子に着座すると、治療椅子の後（背）部にあったワークテーブルが自動的に該治療椅子の側部に移動するので、治療椅子を倒（寝）状態にしても、治療椅子がワークテーブルに当るようなことはなく、安全である。
【図面の簡単な説明】
【０００９】
【図１】本発明による歯科治療ユニットの動作説明をするための図である。
【図２】本発明が適用される従来の歯科治療ユニットの一例を説明するための図である。
【発明を実施するための形態】
【００１０】
図１は、本発明による歯科治療ユニットの一実施例を説明するための構成図で、図中、図２に示した従来技術と同様の作用をする部分には同一の参照番号が付してある。而して、図１（Ａ）は、歯科治療椅子１０が起状態にあり、患者が治療椅子に着座していない時のワークテーブル２０の移動位置を示す図、図１（Ｂ）は、治療椅子１０が倒状態にあり、患者が該治療椅子１０に寝状態で治療を受けているときのワークテーブル２０の移動位置を示す図である。
【００１１】
図１において、Ｓ1はバックレスト１２に設けられたセンサで、診療を終え、治療椅子が起状態となり、患者が治療椅子から降りると、センサＳ1が働いて、ワークテーブル２０は、自動的に、図１（Ａ）に示すように、治療椅子１０の後（背）側に移動し、術者あるいはアシスタントが特別な操作をしない限り、この移動位置すなわち治療椅子１０の後側に位置される。従って、この期間中、ワークテーブル２０が術者やアシスタントの交通の妨げとなるようなことはない。
【００１２】
その後、次の患者が治療椅子１０に着座すると、センサＳ1が作動し、ワークテーブル２０は、図１（Ｂ）に示すように、治療椅子２０の側方に自動的に移動する。この状態では、治療椅子１０を倒状態にしても治療椅子１０がワークテーブル２０に当るようなことはなく、術者Ｄｒは、安心して患者を寝状態にして診療することができる。Ｓ2は、コンターシート１３に設けられたセンサで、該センサＳ2は、前述のバックレスト１２に設けられたセンサＳ1と同時に切り替えられた時にのみ（つまり、これらセンサＳ1、Ｓ2の作動の論理積（アンド）により）、ワークテーブル２０が前述の動作をするようになっている。
【００１３】
センサがバックレスト１２にのみ設けられているとすると、診療中、患者の背がバックレスト１２から離れると、センサＳ1が働いて、患者が治療椅子１０に着座しているのにも拘わらず、ワークテーブル２０が図１（Ａ）の位置に移動してしまう恐れがあるが、バックレスト１２とコンターシート１３の両方にセンサを設けておき、これらセンサＳ1、Ｓ2の論理積によって、ワークテーブル２０を移動するようにすれば、患者が、治療椅子に着座しているか否かを確実に検知することができ、治療椅子に患者が着座しているのにも拘わらず、ワークテーブル２０が移動してしまうような恐れはない。
【符号の説明】
【００１４】
１０…治療椅子、１１…ヘッドレスト、１２…バックレスト、１３…コンターシート、１４…レッグレスト、１５…フットレスト、１６…基台、１７…ベース板、２０…ワークテーブル、２１…インスツルメントホルダ、２２…インスツルメント、２３…支柱、２４…支柱の軸、Ｓ1，Ｓ2…センサ。
【図１】
0005391171.tif 000002
【図２】
0005391171.tif 000003